【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
第一層及び第二層内でデータを符号化し、単一の合成された層内での前記データの復号化を可能にするために前記データを選択することであって、前記第一層符号化データは第一係数を含み、前記第二層符号化データは第二係数を含み、前記第一および第二係数は復号化のために使用される、ことと、
前記第一および第二係数に基づいて第一主係数を選択することと、
前記第一および第二係数に基づいて第二主係数を計算することと、
前記選択されたデータを前記第一層および前記第二層中で符号化することと
を含み、前記符号化することは、前記第一層で符号化するために前記第一主係数を使用することと、前記第二層で符号化するために前記第二主係数を使用することとを更に含み、
前記第一係数は、ベース層残留エラー係数であり、前記第二係数は、エンハンスメント層残留エラー係数であり、更に、
前記選択することは、前記第一係数および前記第二係数の最小値またはゼロのいずれかとなるように前記第一主係数を選択することを更に含み、前記計算することは、前記第二係数に等しい前記第二主係数を設定することを更に含む、マルチメディアデータを符号化するための方法。
【請求項２】
前記符号化することは、前記第二層中の第一層係数の微差を符号化することを含む、請求項１に記載の方法。
【請求項３】
前記第一主係数は、前記第一係数および前記第二係数が異符号を有する場合にゼロであり、前記第一主係数は、前記第一係数および前記第二係数が同符号を有する場合に、前記第一係数および前記第二係数の最小値である、請求項１に記載の方法。
【請求項４】
更に、ブロックヘッダー情報と動作ベクトル情報とを前記第一層と関連付けることを含み、これらのブロックヘッダー情報と動作ベクトル情報とは前記受信されたデータから得られる、請求項１に記載の方法。
【請求項５】
更に、前記第一層符号化データを第一ステップサイズで量子化することと、前記第二層符号化データを第二ステップサイズで量子化することとを含み、この第一ステップサイズと第二ステップサイズとはスケールファクタによって関連付けられる、請求項１に記載の方法。
【請求項６】
前記データは内部符号化データを有し、更に、前記符号化は、前記第一層内の、または前記第一および第二層内の、前記内部符号化データを符号化することを更に含む、請求項１に記載の方法。
【請求項７】
前記データは相互符号化データを有し、前記符号化は更に、前記第二層中の前記相互符号化データを符号化することを有する、請求項１に記載の方法。
【請求項８】
前記符号化することは更に、前記選択された或るデータを前記第一層中の相互符号化データとして、前記選択された或るデータを前記第二層中の相互符号化データとして、符号化することを含む、請求項１に記載の方法。
【請求項９】
前記符号化することは更に、前記選択されたデータを前記第一層中の内部符号化データとして符号化することを含む、請求項１に記載の方法。
【請求項１０】
前記符号化することは更に、前記選択された或るデータを前記第一層中の内部符号化データとして、前記選択された或るデータを前記第二層中の相互符号化データとして、符号化することを含む、請求項１に記載の方法。
【請求項１１】
オーバヘッド情報を符号化することを更に有し、このオーバヘッド情報は、層数を同定するデータと、一つの層をベース層として同定するデータと、一つの層をエンハンスメント層として同定するデータと、複数の層の間の相互関係を同定するデータと、一つの層をファイナルエンハンスメント層として同定するデータとからなるグループのメンバーである、請求項１に記載の方法。
【請求項１２】
第一層及び第二層内でデータを符号化し、単一の合成された層内での前記データの復号化を可能にするために前記データを選択する手段であって、前記第一層符号化データは第一係数を含み、前記第二層符号化データは第二係数を含み、前記第一および第二係数は復号化のために使用される、手段と、
前記第一および第二係数に基づいて第一主係数を選択する手段と、
前記第一および第二係数に基づいて第二主係数を計算する手段と、
前記選択されたデータを前記第一層および前記第二層中で符号化する手段とを具備し、
前記符号化する手段は、前記第一層で符号化するために前記第一主係数を使用する手段と、前記第二層で符号化するために前記第二主係数を使用する手段とを更に含み、
前記第一係数は、ベース層残留エラー係数であり、前記第二係数は、エンハンスメント層残留エラー係数であり、更に、
前記選択する手段は、前記第一係数および前記第二係数の最小値またはゼロのいずれかとなるように前記第一主係数を選択する手段を更に含み、前記計算する手段は、前記第二係数に等しい前記第二主係数を設定する手段を更に含む、マルチメディアデータを符号化するための装置。
【請求項１３】
前記符号化する手段は、前記第二層中の前記第一層係数の微差を符号化する手段を具備する請求項１２に記載の装置。
【請求項１４】
前記第一主係数は、前記第一係数および前記第二係数が異符号を有する場合にゼロであり、前記第一主係数は、前記第一係数および前記第二係数が同符号を有する場合に、前記第一係数および前記第二係数の最小値である、請求項１２に記載の装置。
【請求項１５】
更に、ブロックヘッダー情報と動作ベクトル情報とを前記第一層と関連付ける手段を含み、これらのブロックヘッダー情報と動作ベクトル情報とは前記受信されたデータから得られる、請求項１２に記載の装置。
【請求項１６】
更に、前記第一層符号化データを第一ステップサイズで量子化する手段と、
前記第二層符号化データを第二ステップサイズで量子化する手段とを有し、この第一ステップサイズと第二ステップサイズとはスケールファクタによって関連付けられる、請求項１２に記載の装置。
【請求項１７】
前記データは内部符号化データであり、更に、前記符号化する手段は、前記第一層内で、または前記第一および第二層内で、前記内部符号化データを符号化する、請求項１２に記載の装置。
【請求項１８】
前記データは相互符号化データであり、更に、前記符号化する手段は、前記第二層中で前記相互符号化データを符号化する、請求項１２に記載の装置。
【請求項１９】
更にオーバヘッド情報を符号化する手段を有し、このオーバヘッド情報は、層数を同定するデータと、一つの層をベース層として同定するデータと、一つの層をエンハンスメント層として同定するデータと、複数の層の間の相互関係を同定するデータと、一つの層をファイナルエンハンスメント層として同定するデータとからなるグループのメンバーである、請求項１２に記載の装置。
【請求項２０】
第一層及び第二層内でデータを符号化し、単一の合成された層内での前記データの復号化を可能にするために前記データを選択することであって、前記第一層符号化データは第一係数を含み、前記第二層符号化データは第二係数を含み、前記第一および第二係数は復号化のために使用される、ことと、
前記第一および第二係数に基づいて第一主係数を選択することと、
前記第一および第二係数に基づいて第二主係数を計算することと、
前記選択されたデータを前記第一層および前記第二層中で符号化することとを具備し、
前記符号化することは、前記第一層で符号化するために前記第一主係数を使用することと、前記第二層で符号化するために前記第二主係数を使用することとを更に含み、
前記第一係数は、ベース層残留エラー係数であり、前記第二係数は、エンハンスメント層残留エラー係数であり、更に、
前記選択することは、前記第一係数および前記第二係数の最小値またはゼロのいずれかとなるように前記第一主係数を選択することを更に含み、前記計算することは、前記第二係数に等しい前記第二主係数を設定することを更に含む、マルチメディアデータを符号化するための方法を具現化するためのコンピュータ読み取り可能な媒体。
【請求項２１】
前記符号化することは、前記第二層中の前記第一層係数の微差を符号化することを含む、請求項２０に記載のコンピュータ読み取り可能な媒体。
【請求項２２】
前記第一主係数は、前記第一係数および前記第二係数が異符号を有する場合にゼロであり、前記第一主係数は、前記第一係数および前記第二係数が同符号を有する場合に、前記第一係数および前記第二係数の最小値である、請求項２０に記載のコンピュータ読み取り可能な媒体。
【請求項２３】
前記方法は更に、ブロックヘッダー情報と動作ベクトル情報とを前記第一層と関連付けることを含み、これらのブロックヘッダー情報と動作ベクトル情報とは前記受信されたデータから得られる、請求項２０に記載のコンピュータ読み取り可能な媒体。
【請求項２４】
前記方法は更に、前記第一層符号化データを第一ステップサイズで量子化することと、前記第二層符号化データを第二ステップサイズで量子化することとを含み、この第一ステップサイズと第二ステップサイズとはスケールファクタによって関連付けられる、請求項２０に記載のコンピュータ読み取り可能な媒体。
【請求項２５】
前記方法は更に、オーバヘッド情報を符号化することを有し、このオーバヘッド情報は、層数を同定するデータと、一つの層をベース層として同定するデータと、一つの層をエンハンスメント層として同定するデータと、複数の層の間の相互関係を同定するデータと、一つの層をファイナルエンハンスメント層として同定するデータとからなるグループのメンバーである、請求項２０に記載のコンピュータ読み取り可能な媒体。
【請求項２６】
第一層及び第二層内でデータを符号化し、単一の合成された層内での前記データの復号化を可能にするために前記データを選択することであって、前記第一層符号化データは第一係数を含み、前記第二層符号化データは第二係数を含み、前記第一および第二係数は復号化のために使用される、ことと、
前記第一および第二係数に基づいて第一主係数を選択することと、
前記第一および第二係数に基づいて第二主係数を計算することと、
前記選択されたデータを前記第一層および前記第二層中で符号化することであって、前記符号化することは、前記第一層で符号化するために前記第一主係数を使用することと、前記第二層で符号化するために前記第二主係数を使用することとを更に含み、
前記第一係数は、ベース層残留エラー係数であり、前記第二係数は、エンハンスメント層残留エラー係数であり、更に、
前記選択することは、前記第一係数および前記第二係数の最小値またはゼロのいずれかとなるように前記第一主係数を選択することを更に含み、前記計算することは、前記第二係数に等しい前記第二主係数を設定することを更に含む、
方法を制御するように構成された、マルチメディアデータを符号化するためのプロセッサ。
【請求項２７】
前記符号化することは、前記第二層中の前記第一層係数の微差を符号化することを含む、請求項２６に記載のプロセッサ。
【請求項２８】
前記第一主係数は、前記第一係数および前記第二係数が異符号を有する場合にゼロであり、前記第一主係数は、前記第一係数および前記第二係数が同符号を有する場合に、前記第一係数および前記第二係数の最小値である、請求項２６に記載のプロセッサ。
【請求項２９】
前記方法は更に、ブロックヘッダー情報と動作ベクトル情報とを前記第一層と関連付けることを含み、これらのブロックヘッダー情報と動作ベクトル情報とは前記受信されたデータから得られる、請求項２６に記載のプロセッサ。
【請求項３０】
前記方法は更に、前記第一層符号化データを第一ステップサイズで量子化することと、前記第二層符号化データを第二ステップサイズで量子化することとを有し、この第一ステップサイズと第二ステップサイズとはスケールファクタによって関連付けられる、請求項２６に記載のプロセッサ。
【請求項３１】
前記方法は更に、オーバヘッド情報を符号化することを有し、このオーバヘッド情報は、層数を同定するデータと、一つの層をベース層として同定するデータと、一つの層をエンハンスメント層として同定するデータと、複数の層の間の相互関係を同定するデータと、一つの層をファイナルエンハンスメント層として同定するデータとからなるグループのメンバーである、請求項２６に記載のプロセッサ。
【請求項３２】
第一層及び第二層内でデータを符号化し、単一の合成された層内での前記データの復号化を可能にするために前記データを選択するように構成された受信部であって、前記第一層符号化データは第一係数を含み、前記第二層符号化データは第二係数を含み、前記第一および第二係数は復号化のために使用され、前記受信部は更に、前記第一および第二係数に基づいて第一主係数を選択し、前記第一および第二係数に基づいて第二主係数を計算するように構成されている、受信部と、
前記選択されたデータを前記第一層および前記第二層中で符号化するように構成された符号化部であって、前記符号化部は、前記第一層で符号化するために前記第一主係数を使用し、前記第二層で符号化するために前記第二主係数を使用し、前記第一係数はベース層残留エラー係数であり、前記第二係数はエンハンスメント層残留エラー係数である、符号化部と
を具備し、更に、
前記選択する際に、前記受信部は、前記第一係数および前記第二係数の最小値またはゼロのいずれかとなるように前記第一主係数を選択し、
前記計算する際に、前記受信部は、前記第二係数に等しい前記第二主係数を設定する、マルチメディアデータを符号化するための装置。
【請求項３３】
前記符号化部は更に、前記第二層中の前記第一層係数の微差を符号化するように構成された、請求項３２に記載の装置。
【請求項３４】
前記第一主係数は、前記第一係数および前記第二係数が異符号を有する場合にゼロであり、前記第一主係数は、前記第一係数および前記第二係数が同符号を有する場合に、前記第一係数および前記第二係数の最小値である、請求項３２に記載の装置。